(57)【要約】【課題】ダイジェスト映像作成に関してユーザの満足度を向上させる。【解決手段】放送局からの放送信号を受信する受信部と、所定条件を満たすｍ個の対象番組（ｍは１以上の整数）についてのダイジェスト映像を、前記ｍ個の対象番組に対応する前記受信部の受信信号に基づいて作成するダイジェスト映像作成部と、を備え、前記ダイジェスト映像作成部は、各対象番組のジャンルに応じた作成基準を用いて前記ダイジェスト映像を作成する。例えば、第１作成基準では、放送時刻が比較的新しい対象番組の編集比率を放送時刻が比較的古い対象番組の編集比率よりも高める。各対象番組において、前記編集比率は、当該対象番組内の映像が前記ダイジェスト映像に含められた区間の、当該対象番組の全区間に対する比である。【選択図】図７
2015035733.tif 000002
【特許請求の範囲】
【請求項１】
放送局からの放送信号を受信する受信部と、
所定条件を満たすｍ個の対象番組（ｍは１以上の整数）についてのダイジェスト映像を、前記ｍ個の対象番組に対応する前記受信部の受信信号に基づいて作成するダイジェスト映像作成部と、を備え、
前記ダイジェスト映像作成部は、各対象番組のジャンルに基づき、第１〜第５作成基準の内、何れか１以上の作成基準を用いて前記ダイジェスト映像を作成し、
前記第１作成基準では、放送時刻が比較的新しい対象番組の編集比率を放送時刻が比較的古い対象番組の編集比率よりも高め、各対象番組において、前記編集比率は、当該対象番組内の映像が前記ダイジェスト映像に含められた区間の、当該対象番組の全区間に対する比であり、
前記第２作成基準では、放送時間長が比較的短い対象番組の編集比率を放送時間長が比較的長い対象番組の編集比率よりも高め、
前記第３作成基準では、各対象番組において、コマーシャル前特定区間及びコマーシャル後特定区間の内の少なくとも一方の区間における映像を、それ以外の区間における映像よりも優先的に前記ダイジェスト映像に含め、各対象番組において、前記コマーシャル前特定区間は、コマーシャル入り時点より前であって且つ前記コマーシャル入り時点を基準とする時点から始まり前記コマーシャル入り時点までに終わる、所定の第１長さの区間であり、前記コマーシャル後特定区間は、コマーシャル明け時点又は前記コマーシャル明け時点より後の時点から始まり次のコマーシャルに対するコマーシャル前特定区間よりも前に終わる、所定の第２長さの区間であり、
前記第４作成基準では、各対象番組において、前部特定区間における映像を、それ以外の区間における映像よりも優先的に前記ダイジェスト映像に含め、各対象番組において、前記前部特定区間は、前記前記対象番組の開始時点を基準とする時点から始まる、所定の第３長さの区間であり、
前記第５作成基準では、各対象番組において、後部特定区間における映像を、それ以外の区間における映像よりも優先的に前記ダイジェスト映像に含め、各対象番組において、前記後部特定区間は、前記対象番組の終了時点より前であって且つ前記対象番組の終了時点を基準とする時点から始まり前記対象番組の終了時点までに終わる、所定の第４長さの区間である
ことを特徴とする映像処理装置。
【請求項２】
前記ダイジェスト映像作成部は、前記ｍ個の対象番組に、ジャンルがニュースである複数のニュース番組が含まれる場合、前記複数のニュース番組に対し、前記第１及び第２作成基準の内、少なくとも１つを適用する
ことを特徴とする請求項１に記載の映像処理装置。
【請求項３】
前記ダイジェスト映像作成部は、前記ｍ個の対象番組に、ジャンルが音楽である音楽番組が含まれる場合、前記音楽番組に対して前記第３作成基準を適用する
ことを特徴とする請求項１又は２に記載の映像処理装置。
【請求項４】
前記ダイジェスト映像作成部は、前記ｍ個の対象番組に、ジャンルがドラマ又はニュースである特定対象番組が含まれる場合、前記特定対象番組に対して前記第４作成基準を適用する
ことを特徴とする請求項１乃至３の何れかに記載の映像処理装置。
【請求項５】
前記ダイジェスト映像作成部は、前記ｍ個の対象番組に、ジャンルがドラマであるドラマ番組が含まれる場合、前記ドラマ番組に対して前記第５作成基準を適用する
ことを特徴とする請求項１乃至３の何れかに記載の映像処理装置。
【請求項６】
外部からの設定指示の入力を受ける指示受付部を更に備え、
前記ダイジェスト映像作成部は、入力された前記設定指示に基づき、前記第１〜第４長さの内の、何れか１つ以上の長さを設定可能である
ことを特徴とする請求項１乃至５の何れかに記載の映像処理装置。
【請求項７】
前記ダイジェスト映像作成部は、前記ｍ個の対象番組内に複数の抽出区間を設定して前記複数の抽出区間内の映像を結合することでダイジェスト映像を作成し、
当該映像処理装置は、
前記ダイジェスト映像を、表示装置を用いて再生する再生処理部と、
第１抽出区間中の前記ダイジェスト映像を再生しているとき、再生映像が第２抽出区間中の前記ダイジェスト映像に切り替わるまでの残り時間に応じた情報を報知する報知部と、を更に備え、
前記複数の抽出区間は、前記第１及び第２抽出区間を含み、前記第２抽出区間は前記ダイジェスト映像上で前記第１抽出区間の次に存在する抽出区間である
ことを特徴とする請求項１乃至６の何れかに記載の映像処理装置。
【請求項８】
ｍ個の対象番組（ｍは１以上の整数）内に設定された複数の抽出区間内の映像を結合することで作成されたダイジェスト映像を、表示装置を用いて再生する再生処理部と、
第１抽出区間中の前記ダイジェスト映像を再生しているとき、再生映像が第２抽出区間中の前記ダイジェスト映像に切り替わるまでの残り時間に応じた情報を報知する報知部と、を備え、
前記複数の抽出区間は、前記第１及び第２抽出区間を含み、前記第２抽出区間は前記ダイジェスト映像上で前記第１抽出区間の次に存在する抽出区間である
ことを特徴とする映像処理装置。
【請求項９】
前記第１抽出区間中の前記ダイジェスト映像を再生しているとき、前記報知部は、前記第２抽出区間中の前記ダイジェスト映像の再生にかかる時間に応じた第２情報も報知する
ことを特徴とする請求項８に記載の映像処理装置。
【請求項１０】
前記ダイジェスト映像中の特定映像の再生中に所定指示が入力されたとき、前記再生処理部は、前記特定映像を含む対象番組の映像を、前記特定映像に対応する時点から再生する
ことを特徴とする請求項８又は９に記載の映像処理装置。
【請求項１１】
放送局からの放送信号を受信する受信ステップと、
所定条件を満たすｍ個の対象番組（ｍは１以上の整数）についてのダイジェスト映像を、前記ｍ個の対象番組に対応する前記受信ステップの受信信号に基づいて作成するダイジェスト映像作成ステップと、を備え、
前記ダイジェスト映像作成ステップにおいて、各対象番組のジャンルに基づき、第１〜第５作成基準の内、何れか１以上の作成基準を用いて前記ダイジェスト映像を作成し、
前記第１作成基準では、放送時刻が比較的新しい対象番組の編集比率を放送時刻が比較的古い対象番組の編集比率よりも高め、各対象番組において、前記編集比率は、当該対象番組内の映像が前記ダイジェスト映像に含められた区間の、当該対象番組の全区間に対する比であり、
前記第２作成基準では、放送時間長が比較的短い対象番組の編集比率を放送時間長が比較的長い対象番組の編集比率よりも高め、
前記第３作成基準では、各対象番組において、コマーシャル前特定区間及びコマーシャル後特定区間の内の少なくとも一方の区間における映像を、それ以外の区間における映像よりも優先的に前記ダイジェスト映像に含め、各対象番組において、前記コマーシャル前特定区間は、コマーシャル入り時点より前であって且つ前記コマーシャル入り時点を基準とする時点から始まり前記コマーシャル入り時点までに終わる、所定の第１長さの区間であり、前記コマーシャル後特定区間は、コマーシャル明け時点又は前記コマーシャル明け時点より後の時点から始まり次のコマーシャルに対するコマーシャル前特定区間よりも前に終わる、所定の第２長さの区間であり、
前記第４作成基準では、各対象番組において、前部特定区間における映像を、それ以外の区間における映像よりも優先的に前記ダイジェスト映像に含め、各対象番組において、前記前部特定区間は、前記前記対象番組の開始時点を基準とする時点から始まる、所定の第３長さの区間であり、
前記第５作成基準では、各対象番組において、後部特定区間における映像を、それ以外の区間における映像よりも優先的に前記ダイジェスト映像に含め、各対象番組において、前記後部特定区間は、前記対象番組の終了時点より前であって且つ前記対象番組の終了時点を基準とする時点から始まり前記対象番組の終了時点までに終わる、所定の第４長さの区間である
ことを特徴とする映像処理方法。
【請求項１２】
ｍ個の対象番組（ｍは１以上の整数）内に設定された複数の抽出区間内の映像を結合することで作成されたダイジェスト映像を、表示装置を用いて再生する再生処理ステップと、
第１抽出区間中の前記ダイジェスト映像を再生しているとき、再生映像が第２抽出区間中の前記ダイジェスト映像に切り替わるまでの残り時間に応じた情報を報知する報知ステップと、を備え、
前記複数の抽出区間は、前記第１及び第２抽出区間を含み、前記第２抽出区間は前記ダイジェスト映像上で前記第１抽出区間の次に存在する抽出区間である
ことを特徴とする映像処理方法。
【発明の詳細な説明】
【技術分野】
【０００１】
本発明は、映像処理装置及び方法に関する。
【背景技術】
【０００２】
録画再生装置には、番組内容の短時間での把握又は視聴に資するダイジェスト映像作成機能及び再生機能が備わっていることがある。ダイジェスト映像作成機能では、ユーザ指定条件に適合する１以上の対象番組内に複数の抽出区間を設定し、複数の抽出区間内の映像を結合することでダイジェスト映像を作成する。この際、ダイジェスト映像の時間長はユーザ指定の編集時間以内に収められる。
【０００３】
尚、番組の内容、ジャンルを考慮して、ダイジェスト再生を行う方法が提案されている（例えば、下記特許文献１の段落［００２６］〜［００３０］参照）。
【先行技術文献】
【特許文献】
【０００４】
【特許文献１】特開２００２−４４５７２号公報
【発明の概要】
【発明が解決しようとする課題】
【０００５】
従来のダイジェスト映像作成機能では、ユーザが求めている映像がダイジェスト映像に入っていないことも多い。限られた編集時間の中で、ユーザが求めている映像をなるだけダイジェスト映像に含めることができれば、ユーザの満足度は向上する。また、ダイジェスト映像の再生時においては、複数の抽出区間の境界時点で、突如、再生映像が不連続に切り替わる。この切り替わりは、ダイジェスト映像の特性上、避けがたいものであるが、何時、映像が切り替わるのかが分からない状況はユーザにストレス等を与えうる。そのようなストレス等の軽減も、ユーザの満足度向上に資するものと考えられる。
【０００６】
そこで本発明は、ダイジェスト映像作成又は再生に関してユーザの満足度向上に寄与する映像処理装置及び方法を提供することを目的とする。
【課題を解決するための手段】
【０００７】
本発明に係る映像処理装置は、放送局からの放送信号を受信する受信部と、所定条件を満たすｍ個の対象番組（ｍは１以上の整数）についてのダイジェスト映像を、前記ｍ個の対象番組に対応する前記受信部の受信信号に基づいて作成するダイジェスト映像作成部と、を備え、前記ダイジェスト映像作成部は、各対象番組のジャンルに基づき、第１〜第５作成基準の内、何れか１以上の作成基準を用いて前記ダイジェスト映像を作成し、
前記第１作成基準では、放送時刻が比較的新しい対象番組の編集比率を放送時刻が比較的古い対象番組の編集比率よりも高め、各対象番組において、前記編集比率は、当該対象番組内の映像が前記ダイジェスト映像に含められた区間の、当該対象番組の全区間に対する比であり、前記第２作成基準では、放送時間長が比較的短い対象番組の編集比率を放送時間長が比較的長い対象番組の編集比率よりも高め、前記第３作成基準では、各対象番組において、コマーシャル前特定区間及びコマーシャル後特定区間の内の少なくとも一方の区間における映像を、それ以外の区間における映像よりも優先的に前記ダイジェスト映像に含め、各対象番組において、前記コマーシャル前特定区間は、コマーシャル入り時点より前であって且つ前記コマーシャル入り時点を基準とする時点から始まり前記コマーシャル入り時点までに終わる、所定の第１長さの区間であり、前記コマーシャル後特定区間は、コマーシャル明け時点又は前記コマーシャル明け時点より後の時点から始まり次のコマーシャルに対するコマーシャル前特定区間よりも前に終わる、所定の第２長さの区間であり、前記第４作成基準では、各対象番組において、前部特定区間における映像を、それ以外の区間における映像よりも優先的に前記ダイジェスト映像に含め、各対象番組において、前記前部特定区間は、前記前記対象番組の開始時点を基準とする時点から始まる、所定の第３長さの区間であり、前記第５作成基準では、各対象番組において、後部特定区間における映像を、それ以外の区間における映像よりも優先的に前記ダイジェスト映像に含め、各対象番組において、前記後部特定区間は、前記対象番組の終了時点より前であって且つ前記対象番組の終了時点を基準とする時点から始まり前記対象番組の終了時点までに終わる、所定の第４長さの区間であることを特徴とする。
【０００８】
これにより例えば、ユーザが視聴を求めている可能性の高い映像部分を対象番組のジャンルに応じて推定でき、当該映像部分をダイジェスト映像に含めることが可能となる。結果、ユーザにとって満足度の高いダイジェスト映像の作成が期待される。
【０００９】
具体的には例えば、前記ダイジェスト映像作成部は、前記ｍ個の対象番組に、ジャンルがニュースである複数のニュース番組が含まれる場合、前記複数のニュース番組に対し、前記第１及び第２作成基準の内、少なくとも１つを適用することが好ましい。
【００１０】
ニュース番組に第１作成基準を適用すれば、より新しいニュース情報が発信される可能性の高い番組の映像が多くダイジェスト映像に含まれやすくなり、ダイジェスト映像に対するユーザの満足度が増すと期待される。また、ニュース番組においては、放送時間長が短いほど、注目度の高いニュース情報が高密度で放送されると考えられる。従って、ニュース番組に第２作成基準を適用すれば、注目度の高いニュース情報が高密度でダイジェスト映像に含まれやすくなり、結果、ダイジェスト映像に対するユーザの満足度が増すと期待される。
【００１１】
また具体的には例えば、前記ダイジェスト映像作成部は、前記ｍ個の対象番組に、ジャンルが音楽である音楽番組が含まれる場合、前記音楽番組に対して前記第３作成基準を適用することが好ましい。
【００１２】
音楽番組においては、コマーシャル区間の前後に、楽曲の後半部分、前半部分（例えば、曲の歌い終わり、歌い始め）が放送されている可能性が高い。楽曲の後半部分又は前半部分を見ることで、ユーザは、どのような楽曲が放送されていたのかを短時間で把握することができる。また、歌手が歌う曲においては、曲の歌い終わり又は歌い始めに、ユーザが視聴を望むと推定される、曲の盛り上がり部分が存在することが多い。故に、第３作成基準を音楽番組に適用することで、ダイジェスト映像に対するユーザの満足度が増すと期待される。
【００１３】
また具体的には例えば、前記ダイジェスト映像作成部は、前記ｍ個の対象番組に、ジャンルがドラマ又はニュースである特定対象番組が含まれる場合、前記特定対象番組に対して前記第４作成基準を適用することが好ましい。
【００１４】
ドラマ番組では、番組の冒頭部分に、ストーリーの重要部分が現れることも多い。故に、第４作成基準をドラマ番組に適用することで、ストーリーの重要部分がダイジェスト映像に含まれる可能性が高まり、結果、ダイジェスト映像に対するユーザの満足度が増すと期待される。また、ニュース番組では、番組の冒頭部分において、注目度の高いニュース情報（所謂トップニュース等）が放送される可能性が高い。故に、ニュース番組に第４作成基準を適用すれば、注目度の高いニュース情報がダイジェスト映像に含まれやすくなると考えられ、結果、ダイジェスト映像に対するユーザの満足度が増すと期待される。
【００１５】
また具体的には例えば、前記ダイジェスト映像作成部は、前記ｍ個の対象番組に、ジャンルがドラマであるドラマ番組が含まれる場合、前記ドラマ番組に対して前記第５作成基準を適用することが好ましい。
【００１６】
ドラマ番組では、番組の終わりの部分周辺において、ストーリーの重要部分が現れることも多い。故に、第５作成基準をドラマ番組に適用することで、ストーリーの重要部分がダイジェスト映像に含まれる可能性が高まり、結果、ダイジェスト映像に対するユーザの満足度が増すと期待される。
【００１７】
また例えば、当該映像処理装置は、外部からの設定指示の入力を受ける指示受付部を更に備えていて良く、前記ダイジェスト映像作成部は、入力された前記設定指示に基づき、前記第１〜第４長さの内の、何れか１つ以上の長さを設定可能であることが好ましい。
【００１８】
これにより、ユーザ所望のダイジェスト映像が作成されやすくなる。
【００１９】
また例えば、前記ダイジェスト映像作成部は、前記ｍ個の対象番組内に複数の抽出区間を設定して前記複数の抽出区間内の映像を結合することでダイジェスト映像を作成する。そして、当該映像処理装置は、前記ダイジェスト映像を、表示装置を用いて再生する再生処理部と、第１抽出区間中の前記ダイジェスト映像を再生しているとき、再生映像が第２抽出区間中の前記ダイジェスト映像に切り替わるまでの残り時間に応じた情報を報知する報知部と、を更に備えていて良い。前記複数の抽出区間は、前記第１及び第２抽出区間を含み、前記第２抽出区間は前記ダイジェスト映像上で前記第１抽出区間の次に存在する抽出区間であって良い。
【００２０】
これにより例えば、ユーザは映像の切り替わりに対する心構えを持つことができるため、ダイジェスト映像を視聴しやすくなる。従って、ダイジェスト映像再生に関するユーザの満足度向上が期待される。
【００２１】
本発明に係る他の映像処理装置は、ｍ個の対象番組（ｍは１以上の整数）内に設定された複数の抽出区間内の映像を結合することで作成されたダイジェスト映像を、表示装置を用いて再生する再生処理部と、第１抽出区間中の前記ダイジェスト映像を再生しているとき、再生映像が第２抽出区間中の前記ダイジェスト映像に切り替わるまでの残り時間に応じた情報を報知する報知部と、を備え、前記複数の抽出区間は、前記第１及び第２抽出区間を含み、前記第２抽出区間は前記ダイジェスト映像上で前記第１抽出区間の次に存在する抽出区間であることを特徴とする。
【００２２】
これにより例えば、ユーザは映像の切り替わりに対する心構えを持つことができるため、ダイジェスト映像を視聴しやすくなる。従って、ダイジェスト映像再生に関するユーザの満足度向上が期待される。
【００２３】
また例えば、前記第１抽出区間中の前記ダイジェスト映像を再生しているとき、前記報知部は、前記第２抽出区間中の前記ダイジェスト映像の再生にかかる時間に応じた第２情報も報知して良い。
【００２４】
これにより例えば、ユーザは、自身のスケジュールを考慮して、次の場面の映像の視聴を開始するか否かを当該開始前に決定することができ、利便性が高まる。
【００２５】
また例えば、前記ダイジェスト映像中の特定映像の再生中に所定指示が入力されたとき、前記再生処理部は、前記特定映像を含む対象番組の映像を、前記特定映像に対応する時点から再生することが好ましい。
【００２６】
これにより、ユーザ所望の映像部分を、ユーザ希望に沿うように詳細に再生することが可能となる。
【００２７】
本発明に係る映像処理方法は、放送局からの放送信号を受信する受信ステップと、所定条件を満たすｍ個の対象番組（ｍは１以上の整数）についてのダイジェスト映像を、前記ｍ個の対象番組に対応する前記受信ステップの受信信号に基づいて作成するダイジェスト映像作成ステップと、を備え、前記ダイジェスト映像作成ステップにおいて、各対象番組のジャンルに基づき、第１〜第５作成基準の内、何れか１以上の作成基準を用いて前記ダイジェスト映像を作成し、前記第１作成基準では、放送時刻が比較的新しい対象番組の編集比率を放送時刻が比較的古い対象番組の編集比率よりも高め、各対象番組において、前記編集比率は、当該対象番組内の映像が前記ダイジェスト映像に含められた区間の、当該対象番組の全区間に対する比であり、前記第２作成基準では、放送時間長が比較的短い対象番組の編集比率を放送時間長が比較的長い対象番組の編集比率よりも高め、前記第３作成基準では、各対象番組において、コマーシャル前特定区間及びコマーシャル後特定区間の内の少なくとも一方の区間における映像を、それ以外の区間における映像よりも優先的に前記ダイジェスト映像に含め、各対象番組において、前記コマーシャル前特定区間は、コマーシャル入り時点より前であって且つ前記コマーシャル入り時点を基準とする時点から始まり前記コマーシャル入り時点までに終わる、所定の第１長さの区間であり、前記コマーシャル後特定区間は、コマーシャル明け時点又は前記コマーシャル明け時点より後の時点から始まり次のコマーシャルに対するコマーシャル前特定区間よりも前に終わる、所定の第２長さの区間であり、前記第４作成基準では、各対象番組において、前部特定区間における映像を、それ以外の区間における映像よりも優先的に前記ダイジェスト映像に含め、各対象番組において、前記前部特定区間は、前記前記対象番組の開始時点を基準とする時点から始まる、所定の第３長さの区間であり、前記第５作成基準では、各対象番組において、後部特定区間における映像を、それ以外の区間における映像よりも優先的に前記ダイジェスト映像に含め、各対象番組において、前記後部特定区間は、前記対象番組の終了時点より前であって且つ前記対象番組の終了時点を基準とする時点から始まり前記対象番組の終了時点までに終わる、所定の第４長さの区間であることを特徴とする。
【００２８】
本発明に係る他の映像処理方法は、ｍ個の対象番組（ｍは１以上の整数）内に設定された複数の抽出区間内の映像を結合することで作成されたダイジェスト映像を、表示装置を用いて再生する再生処理ステップと、第１抽出区間中の前記ダイジェスト映像を再生しているとき、再生映像が第２抽出区間中の前記ダイジェスト映像に切り替わるまでの残り時間に応じた情報を報知する報知ステップと、を備え、前記複数の抽出区間は、前記第１及び第２抽出区間を含み、前記第２抽出区間は前記ダイジェスト映像上で前記第１抽出区間の次に存在する抽出区間であることを特徴とする。
【発明の効果】
【００２９】
本発明によれば、ダイジェスト映像作成又は再生に関してユーザの満足度向上に寄与する映像処理装置及び方法を提供することが可能である。
【図面の簡単な説明】
【００３０】
【図１】本発明の第１実施形態に係る録画再生装置の全体ブロック図である。
【図２】ダイジェスト映像作成及び再生機能の実現に特に関与する部分の機能ブロック図である。
【図３】ＤＧ編集条件の内容を説明する図（ａ）と、ＤＧ編集条件の設定用映像を示す図（ｂ）である。
【図４】番組のジャンルを説明するための図である。
【図５】本発明の第１実施形態にて主として想定される、対象時間帯、対象チャンネル及び対象番組を示す図である。
【図６】ダイジェスト映像の作成方法及び内容の例を示す図である。
【図７】第１作成基準を用いたダイジェスト映像の作成方法及び内容の例を示す図である。
【図８】第３作成基準を用いたダイジェスト映像の作成方法及び内容の例を示す図である。
【図９】第３作成基準に関与する、ＣＭ前区間とＣＭ区間とＣＭ後区間の関係を示す図である。
【図１０】第４作成基準を用いたダイジェスト映像の作成方法及び内容の例を示す図である。
【図１１】第４作成基準に関与する前部特定区間を説明するための図である。
【図１２】第５作成基準を用いたダイジェスト映像の作成方法及び内容の例を示す図である。
【図１３】第５作成基準に関与する後部特定区間を説明するための図である。
【図１４】本発明の第１実施形態に係り、ダイジェスト映像の作成動作フローチャートである。
【図１５】本発明の第３実施形態に係り、ダイジェスト映像の再生時における再生映像を示す図である。
【図１６】本発明の第３実施形態に係り、ダイジェスト映像の再生時における再生映像を示す図である。
【図１７】本発明の第３実施形態に係り、ダイジェスト映像の再生動作フローチャートである。
【図１８】本発明の第３実施形態に係り、ダイジェスト映像中とダイジェスト映像の元となる番組との対応関係を示す図である。
【発明を実施するための形態】
【００３１】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって該記号又は符号に対応する情報、信号、物理量、状態量又は部材等の名称を省略又は略記することがある。
【００３２】
＜＜第１実施形態＞＞
本発明の第１実施形態を説明する。図１に、本発明の第１実施形態に係る録画再生装置１の全体ブロック図を示す。録画再生装置１は、符号１１〜２０によって参照される各部位を備える。表示装置２は、液晶ディスプレイ装置などの、録画再生装置１に接続された外部表示装置である。但し、表示装置２は録画再生装置１に内包されていても良い。以下の説明において、特に記述無き限り、表示とは表示装置２における表示を指し、再生とは表示装置２を用いた映像及び音声の再生を指す。
【００３３】
チューナ１１は、アンテナＡＴを介して受信した放送信号に含まれる所望のチャンネルの放送信号を復調し、復調された放送信号を出力する。放送信号は、各放送局から放送され、映像信号及び音声信号を含む。従って、チューナ１１の出力信号は、復調によって得られた映像信号及び音声信号を含む。以下、映像信号及び音声信号をまとめてＡＶ信号と呼ぶ。放送信号は、更にＥＰＧ情報（電子番組表情報）を含んでいる。ＥＰＧ情報には、各放送局が放送する番組のタイトル、ジャンル及び内容などの情報が含まれている。
【００３４】
映像音声処理部１２は、チューナ１１からのＡＶ信号を出力部１９に送ることができる。また、映像音声処理部１２は、チューナ１１からのＡＶ信号をメディアドライバ１３に送ることができると共に、メディアドライバ１３からのＡＶデータを出力部１９に送ることもできる。映像音声処理部１２は、ＡＶ信号をメディアドライバ１３に送るとき、ＡＶ信号を圧縮符号化することができ、メディアドライバ１３からのＡＶ信号が圧縮符号化されているとき、メディアドライバ１３からのＡＶ信号を伸長復号化することができる。また、映像音声処理部１２において放送信号からＥＰＧ情報を分離抽出することができる。
【００３５】
メディアドライバ１３は、映像音声処理部１２からのＡＶ信号を記録メディア（記録媒体）１４に記録することができると共に、記録メディア１４に記録されたＡＶ信号を読み出して映像音声処理部１２に送ることができる。記録メディア１４は、磁気ディスク、光ディスク、光磁気ディスク若しくは半導体メモリ等又はそれらの組み合わせにて形成され、任意のデータ及び信号を記録可能である。尚、記録メディア１４の全部又は一部は、録画再生装置１に対して着脱自在であっても良いし、録画再生装置１の外部に存在していても良い。
【００３６】
指示受付部１５は、操作パネル等を含み、ユーザからの各種操作及び指示の入力を受け付ける。図示されないリモートコントローラを介して、ユーザからの各種操作及び指示が指示受付部１５（録画再生装置１）に入力されても良い。当該リモートコントローラは、録画再生装置１の一部であると考えても良い。以下、指示受付部１５に入力されたユーザからの指示を、入力指示という。
【００３７】
制御部１６は、ＣＰＵ（Central Processing Unit）等にて形成され、入力指示に従いつつ、録画再生装置１内の各部位の動作を統括的に制御する。制御部１６は、チューナ１１、映像音声処理部１２及びメディアドライバ１３を制御することで、入力指示に従った番組のＡＶ信号を記録メディア１４に記録することができる。記録メディア１４へのＡＶ信号の記録を録画と呼ぶ。尚、或る番組の録画と、当該番組のＡＶ信号の記録メディア１４への記録は、同義である。メモリ１７は、ＲＯＭ（Read Only Memory）及びＲＡＭ（Random Access Memory）を含み、制御部１６で実行されるプログラムや各種データを不揮発的に記憶すると共に録画再生装置１内で参照される任意のデータを一時記憶する。
【００３８】
ＯＳＤ（On Screen Display）部１８は、制御部１６からの指示に基づいて生成したＯＳＤデータを出力部１９に送る。ＯＳＤデータは、設定メニュー等を示す映像の映像信号である。出力部１９は、映像音声処理部１２からのＡＶ信号に含まれる映像信号及び音声信号を表示装置２に供給する。これにより、表示装置２において、出力部１９からの映像信号及び音声信号が映像及び音として再生される。出力部１９は、映像信号を表示装置２に供給する際、映像音声処理部１２からの映像信号にＯＳＤデータを合成し、これによって得られた合成映像信号を表示装置２に供給しても良い。また、出力部１９は、そのような合成を行わずにＯＳＤデータをそのまま表示装置２に供給することもできる。出力部１９から表示装置２に供給されるべき信号及びデータは制御部１６によって制御される。通信部２０は、インターネット網などの任意のネットワークＮＥＴに接続可能であり、ネットワークＮＥＴを介し、ネットワークＮＥＴに接続された任意の機器との間で、任意の情報を通信可能である。
【００３９】
録画再生装置１は、１以上の番組についてのダイジェスト映像を作成するダイジェスト映像作成機能及びダイジェスト映像を表示装置２を用いて再生するダイジェスト映像再生機能を有している。ダイジェスト映像を作成する際、ダイジェスト映像に同期した音声信号も生成され、ダイジェスト映像に付与される。ダイジェスト映像を記録メディア１４等に記録する際、ダイジェスト映像に同期した音声信号も記録メディア１４等に記録される。ダイジェスト映像を再生する際、ダイジェスト映像に付与された音声信号も、ダイジェスト映像に同期して再生される。但し、以下では、説明の簡略化上、特に必要のない限り、ダイジェスト映像に付与される音声信号の存在を無視する。
【００４０】
図２は、ダイジェスト映像作成及び再生機能の実現に特に関与する部分の機能ブロック図であり、符号３１〜３４によって参照される各部位が録画再生装置１に設けられる。
【００４１】
ダイジェスト映像作成部３１（以下、作成部３１と略記することがある）は、ＤＧ編集条件を満たすｍ個の対象番組についてのダイジェスト映像を、ｍ個の対象番組に対する放送信号（即ち、チューナ１１の受信信号）に基づいて作成する。作成部３１は、例えば、図１の映像音声処理部１２及び制御部１６によって実現される。以下では、主として、ｍが２以上の整数であることを想定するが、ｍは１であっても良い。ダイジェスト映像の元となる各対象番組の放送信号は、一旦、記録メディア１４に記録され、作成部３１は、記録メディア１４に記録された各対象番組の放送信号に基づきダイジェスト映像を作成する。但し、記録メディア１４を介さずにダイジェスト映像を作成しても良い。作成されたダイジェスト映像を、制御部１６の制御の下、記録メディア１４に記録することができる。
【００４２】
図３（ａ）に示す如く、ＤＧ編集条件は複数の要素から成る。ユーザは、指示受付部１５に対して編集条件設定指示を入力することで、ＤＧ編集条件を指定することができる。編集条件設定指示の入力を受け付ける際、制御部１６は、例えば、図３（ｂ）に示すような設定用映像を表示させる。対象番組は、対象チャンネルにおいて対象時間帯に放送され且つ対象ジャンルに分類される番組である。ＤＧ編集条件は、対象チャンネル、対象時間帯及び対象ジャンルを規定する。対象チャンネルの個数を１以上の任意の個数にすることができる。対象ジャンルの個数も１以上の任意の個数にすることができる。対象時間帯は、連続する１つの時間帯であっても良いし、互いに分離した複数の時間帯にて対象時間帯が形成されていても良い。また、ダイジェスト映像の全時間長である編集時間ＬDGもＤＧ編集条件に規定される。ＤＧ編集条件は、この他にも、ダイジェスト映像の作成及び記録等に関わる各種条件を定めうる。例えば、ＤＧ編集条件は、作成したダイジェスト映像を毎日更新しながら記録メディア１４に記録するのか或いは次々と作成されるダイジェスト映像を別々に記録メディア１４に記録するのかを規定する更新条件を含む。
【００４３】
再生処理部３２は、ダイジェスト映像を含む任意の映像を表示装置２を用いて再生する。再生処理部３２は、例えば、図１の映像音声処理部１２、メディアドライバ１３、制御部１６、ＯＳＤ部１８及び出力部１９によって実現される。
【００４４】
ジャンル判定部３３は、制御部１６に内包され、各放送局からの各番組が属するジャンルを判定する。ジャンル判定部３３は、チューナ１１にて受信された放送信号中のＥＰＧ情報又はネットワークＮＥＴ及び通信部２０を介して取得したＥＰＧ情報（ｉＥＰＧ情報とも呼ばれる）に基づき当該判定を行うことができる。各放送局からの各番組は、複数のジャンルの何れかに分類されている。複数のジャンルは、図４に示す如く、ニュース、音楽、ドラマ及びスポーツ等を含む。報知部３４については後述する。
【００４５】
図５を参照する。対象チャンネルがＡチャンネル（Ａ ch）及びＢチャンネル（Ｂ ch）から成り且つ対象番組が番組ＰＧ１〜ＰＧ３から成ることを想定する。当該想定を、便宜上、想定αと呼び、以下では、特に記述無き限り、想定αの下で各種動作の具体例を説明する。想定αにおける対象時間帯は、時刻ｔ1から時刻ｔ5までの時間帯である。任意の整数ｉに関し、時刻ｔi+1は、時刻ｔiよりも後の時刻である。想定αにおいて、対象番組ＰＧ１は、Ａチャンネルにおいて時刻ｔ2及びｔ3間に放送された対象ジャンルの番組である。想定αにおいて、対象番組ＰＧ２は、Ｂチャンネルにおいて時刻ｔ1及びｔ3間に放送された対象ジャンルの番組であり、対象番組ＰＧ３は、Ｂチャンネルにおいて時刻ｔ4及びｔ5間に放送された対象ジャンルの番組である。ＬPG1、ＬPG2、ＬPG3は、夫々、対象番組ＰＧ１の全区間の時間長（即ち時刻ｔ2及びｔ3間の時間長）、対象番組ＰＧ２の全区間の時間長（即ち時刻ｔ1及びｔ3間の時間長）、対象番組ＰＧ３の全区間の時間長（即ち時刻ｔ4及びｔ5間の時間長）を指す。
【００４６】
作成部３１は、ｍ個の対象番組内に複数のＤＧ抽出区間を設定して当該複数のＤＧ抽出区間内の映像を時系列方向に結合することでダイジェスト映像を作成する。１つの対象番組に設定されるＤＧ抽出区間の個数は１でも良いし２以上でも良い。例えば、図６に示す如く、対象番組ＰＧ１、ＰＧ２、ＰＧ３に、夫々、２つ、３つ、１つのＤＧ抽出区間が設定された場合を考える。この場合、対象番組ＰＧ１から２つのＤＧ抽出区間内の映像３０１及び３０２が抽出され、対象番組ＰＧ２から３つのＤＧ抽出区間内の映像３０３〜３０５が抽出され、対象番組ＰＧ３から１つのＤＧ抽出区間内の映像３０６が抽出される。そして、映像３０１〜３０６を時系列方向に結合することでダイジェスト映像が作成される。図６の例では、映像３０１〜３０６が、時間の進行方向に沿って、この順番で結合されている。従って、図６のダイジェスト映像の再生が指示されたとき、映像３０１〜３０６が、この順番で再生される。作成部３１は、ＤＧ編集条件に規定される編集時間ＬDGに基づき各ＤＧ抽出区間の長さを設定する。この際、作成されたダイジェスト映像の全時間長が編集時間ＬDGと一致するように又は編集時間ＬDG未満となるように、各ＤＧ抽出区間の長さが設定される。
【００４７】
ダイジェスト映像を形成するＤＧ抽出区間内に映像を、ＤＧ抽出映像と呼ぶ。図６の例では、映像３０１〜３０６の夫々がＤＧ抽出映像である。ダイジェスト映像内における、複数のＤＧ抽出映像の並べ方は任意である。但し、１つの対象番組から複数のＤＧ抽出映像が抽出された場合、当該対象番組内における当該複数のＤＧ抽出映像の時系列順と、ダイジェスト映像内における当該複数のＤＧ抽出映像の時系列順を合わせておくと良い。
【００４８】
また、原則として、複数の対象番組の内、放送開始時刻が比較的早い対象番組に基づくＤＧ抽出映像を、放送開始時刻が比較的遅い対象番組に基づくＤＧ抽出映像よりも、ダイジェスト映像の先頭に近づけると良い。これに従い、図６の例では、ダイジェスト映像において、対象番組ＰＧ２に基づくＤＧ抽出映像３０３〜３０５が対象番組ＰＧ３に基づくＤＧ抽出映像３０６よりも、ダイジェスト映像の先頭に近い。但し、対象チャンネルが複数ある場合、複数の対象チャンネル間で優先順位が定められていても良い。この場合、優先順位が比較的高いチャンネルの対象番組に基づくＤＧ抽出映像は、優先順位が比較的低いチャンネルの対象番組に基づくＤＧ抽出映像よりも、ダイジェスト映像の先頭に近づけられる。図６の例では、Ａチャンネルに対してＢチャンネルよりも高い優先順位が与えられている。故に、ダイジェスト映像において、ＤＧ抽出映像３０１及び３０２がＤＧ抽出映像３０３〜３０５よりも、ダイジェスト映像の先頭に近くなっている。ユーザが指定できるＤＧ編集条件に上記優先順位が含まれていても良い。
【００４９】
ＤＧ抽出区間の設定方法として、ダイジェスト映像の作成に関わる公知の任意の方法を用いることができる。例えば、対象番組内において部分的にコマーシャルが放送されている場合、コマーシャルの放送区間を除外してＤＧ抽出区間を設定する。これにより、対象番組内の主映像をダイジェスト再生することが可能となり、ユーザの満足度向上が期待される。
【００５０】
本実施形態では、ユーザの更なる満足度向上に資するダイジェスト映像の作成方法を提案する。具体的には、作成部３１は、以下に示す第１〜第５作成基準の内、任意の何れか１以上の作成基準を用いて、ダイジェスト映像を作成する。この際、作成部３１は、ジャンル判定部３３の判定結果を用い、何れの作成基準を用いてダイジェスト映像を作成するのかを、各対象番組のジャンルに基づいて決定すると良い（具体的な決定方法については後述）。これにより、ジャンルに応じた適切な基準（ユーザの満足度向上に資する基準）にてダイジェスト映像が作成される。
【００５１】
作成部３１は、第１〜第５作成基準以外の作成基準（以下、付加作成基準という）を更に用いることも可能である。付加作成基準に、コマーシャルの放送区間を除外してＤＧ抽出区間を設定するという基本作成基準Ｆ１や、１つの対象番組内に設定した複数のＤＧ抽出区間の長さを互いに同じにするという基本作成基準Ｆ２が含まれていても良い。１つの対象番組内に複数のＤＧ抽出区間を均等に分散して設定するという基本作成基準Ｆ３を、付加作成基準に含めても良い。基本作成基準Ｆ３において、１つの対象番組内に幾つのＤＧ抽出区間を設定するのかは、所定のアルゴリズムに従って決定すれば良く、各ＤＧ抽出区間の長さは一定値（例えば２０秒）でも良い。以下、第１〜第５作成基準を個別に説明する。
【００５２】
――第１作成基準――
第１作成基準を説明する。図７は、想定αの下、第１作成基準を用いたダイジェスト映像の作成方法及び内容の例を示している。図７の例では、対象番組ＰＧ１にＤＧ抽出区間３１１〜３１３が設定され、対象番組ＰＧ２にＤＧ抽出区間３１４〜３１７が設定され、対象番組ＰＧ３にＤＧ抽出区間３１８及び３１９が設定されている。そして、対象番組ＰＧ１に基づくＤＧ抽出区間３１１〜３１３内の映像３２１〜３２３と、対象番組ＰＧ２に基づくＤＧ抽出区間３１４〜３１７内の映像３２４〜３２７と、対象番組ＰＧ３に基づくＤＧ抽出区間３１８及び３１９内の映像３２８及び３２９とが、ＤＧ抽出映像として結合されてダイジェスト映像ＤＧ１が形成されている。
【００５３】
第１作成基準では、放送時刻が比較的新しい対象番組の編集比率が、放送時刻が比較的古い対象番組の編集比率よりも高められる。放送時刻が比較的新しい、比較的古いとは、ダイジェスト映像の作成を行う現時刻に対して、放送時刻が比較的近い、比較的遠いことを指す。ここにおける放送時刻は、対象番組の放送開始時刻である。但し、第１作成基準における放送時刻は、対象番組の放送終了時刻、又は、対象番組の放送開始時刻及び放送終了時刻間の中間時刻であっても良い。
【００５４】
編集比率は対象番組ごとに設定される。各対象番組において、編集比率とは、対象番組内の映像がダイジェスト映像に含められた区間の、対象番組の全区間に対する比を指す。従って、図７の例において、対象番組ＰＧ２の編集比率は、対象番組ＰＧ２の全区間の長さＬPG2（図５参照）に対する、区間３１４〜３１７の長さの合計の比である。同様に、対象番組ＰＧ３の編集比率は、対象番組ＰＧ３の全区間の長さＬPG3（図５参照）に対する、区間３１８及び３１９の長さの合計の比である。対象番組ＰＧ１の編集比率についても同様である。
【００５５】
第１作成基準によれば、対象番組ＰＧ３の編集比率が対象番組ＰＧ１及びＰＧ２のそれらよりも高められ、また、対象番組ＰＧ１の編集比率が対象番組ＰＧ２のそれよりも高められる。複数の対象番組間において、放送時刻の相違に応じ、どの程度編集比率を相違させるのかは、予め定めておけば良い。
【００５６】
第１作成基準を用いる場合、作成部３１は、対象番組ＰＧ１〜ＰＧ３の放送時刻と、長さＬPG1〜ＬPG3（図５参照）と、編集時間ＬDGとに基づき、各対象番組の編集比率を設定する。各対象番組の編集比率の設定後、例えば、上述の基本作成基準Ｆ１〜Ｆ３を用いてダイジェスト映像ＤＧ１を作成することができる。
【００５７】
作成部３１は、ジャンル判定部３３の判定結果を参照し、ｍ個の対象番組の中にジャンルがニュースである複数のニュース番組が含まれる場合に、当該複数のニュース番組に対して第１作成基準を適用すると良い。ニュース番組においては、放送時刻が新しいほど、より新しいニュース情報が放送されると考えられる。また、ニュース番組は、次々と発生する新たな情報を発信する番組であると言えるため、放送時刻が新しいニュース情報ほど、ニュース情報としての価値が高いと考えられる。ニュース番組に第１作成基準を用いれば、より新しいニュース情報が発信される可能性の高い番組の映像が多くダイジェスト映像に含められるため、ダイジェスト映像に対するユーザの満足度が増すと期待される。
【００５８】
――第２作成基準――
第２作成基準を説明する。第２作成基準では、放送時間長が比較的短い対象番組の編集比率を、放送時間長が比較的長い対象番組の編集比率よりも高める。対象番組ＰＧ１、ＰＧ２及びＰＧ３の放送時間長は、夫々、ＬPG1、ＬPG2及びＬPG3である（図５参照）。そして、“ＬPG2＞ＬPG1＞ＬPG3”であるとすると、対象番組ＰＧ３の編集比率が対象番組ＰＧ１及びＰＧ２のそれらよりも高められ、また、対象番組ＰＧ１の編集比率が対象番組ＰＧ２のそれよりも高められる。複数の対象番組間において、放送時間長の相違に応じ、どの程度編集比率を相違させるのかは、予め定めておけば良い。
【００５９】
図７は、想定αの下、第２作成基準を用いたダイジェスト映像の作成方法及び内容の例をも示している。第２作成基準を用いる場合、作成部３１は、対象番組ＰＧ１〜ＰＧ３の放送時間長ＬPG1〜ＬPG3（図５参照）と、編集時間ＬDGとに基づき、各対象番組の編集比率を設定する。各対象番組の編集比率の設定後、例えば、上述の基本作成基準Ｆ１〜Ｆ３を用いてダイジェスト映像ＤＧ１を作成することができる。
【００６０】
作成部３１は、ジャンル判定部３３の判定結果を参照し、ｍ個の対象番組の中にジャンルがニュースである複数のニュース番組が含まれる場合に、当該複数のニュース番組に対して第２作成基準を適用すると良い（第１作成基準も合わせて適用しても良い）。ニュース番組においては、放送時間長が短いほど、注目度の高いニュース情報が高密度で放送されると考えられる。ニュース番組に第２作成基準を用いれば、注目度の高いニュース情報が高密度でダイジェスト映像に含まれやすくなり、結果、ダイジェスト映像に対するユーザの満足度が増すと期待される。
【００６１】
――第３作成基準――
第３作成基準を説明する。図８は、想定αの下、第３作成基準を用いたダイジェスト映像の作成方法及び内容の例を示している。図８の例では、対象番組ＰＧ１にＤＧ抽出区間３４１〜３４５が設定され、対象番組ＰＧ２にＤＧ抽出区間３４６〜３５２が設定され、対象番組ＰＧ３にＤＧ抽出区間３５３〜３５５が設定されている。そして、対象番組ＰＧ１に基づくＤＧ抽出区間３４１〜３４５内の映像３６１〜３６５と、対象番組ＰＧ２に基づくＤＧ抽出区間３４６〜３５２内の映像３６６〜３７２と、対象番組ＰＧ３に基づくＤＧ抽出区間３５３〜３５５内の映像３７３〜３７５とが、ＤＧ抽出映像として結合されてダイジェスト映像ＤＧ２が形成されている。
【００６２】
任意の番組において、コマーシャルが放送される区間をＣＭ区間と呼び、コマーシャルではない主映像が放送される区間をメイン区間と呼ぶ。区間３４１〜３５５は全てメイン区間に属する。対象番組ＰＧ１において、区間３４２の後、区間３４３までに、ＣＭ区間ＣＭ１が存在し、区間３４４の後、区間３４５までに、ＣＭ区間ＣＭ２が存在する。対象番組ＰＧ２において、区間３４７の後、区間３４８までに、ＣＭ区間ＣＭ３が存在し、区間３４９の後、区間３５０までに、ＣＭ区間ＣＭ４が存在し、区間３５１の後、区間３５２までに、ＣＭ区間ＣＭ５が存在する。対象番組ＰＧ３において、区間３５４の後、区間３５５までに、ＣＭ区間ＣＭ６が存在する。
【００６３】
第３作成基準では、各対象番組において、ＣＭ前区間及びＣＭ後区間における映像を優先映像として且つそれ以外の区間における映像を非優先映像として定め、優先映像を非優先映像よりも優先的にダイジェスト映像に含める。但し、ＣＭ前区間における映像とＣＭ後区間における映像の内、どちらか一方のみを優先映像に設定するようにしても良い。作成部３１は、ＣＭ区間を検出するための公知の任意の方法を用いることができる。例えば、放送信号に含まれる音声信号に基づきＣＭ区間を検出することができる。
【００６４】
作成部３１は、１つのＣＭ区間に対して、ＣＭ前区間（コマーシャル前特定区間）及びＣＭ後区間（コマーシャル後特定区間）を１つずつ設定することができる。図９を参照して、１つのＣＭ区間３９０に対するＣＭ前区間３９１及びＣＭ後区間３９２を説明する。コマーシャル入り時点に相当するＣＭ区間３９０の開始時刻、コマーシャル明け時点に相当するＣＭ区間３９０の終了時刻は、夫々、ｔA、ｔBである。尚、本明細書では、時間の記号（例えばｔA）に対応する文言として、文脈の都合上、用語“時点”を使用したり、用語“時刻”を使用したりすることがあるが、両者は共通の意義を有する。
【００６５】
ＣＭ前区間３９１は、コマーシャル入り時点ｔAを基準とする時点（時刻）ｔA1から始まり、その後の時点（時刻）ｔA2にて終わる区間である。従って、ＣＭ前区間３９１は、時刻ｔA1及びｔA2間の時間長に相当する、所定の長さＬ391を持つ。時点ｔA1及びｔA2は、コマーシャル入り時点ｔAより前の時点（時刻）である。但し、“ｔA2＝ｔA”であっても良い。ＣＭ後区間３９２は、コマーシャル明け時点ｔBを基準とする時点（時刻）ｔB1から始まり、その後の時点（時刻）ｔB2にて終わる区間である。従って、ＣＭ後区間３９２は、時刻ｔB1及びｔB2間の時間長に相当する、所定の長さＬ392を持つ。時点ｔB1及びｔB2は、コマーシャル明け時点ｔBより後の時点（時刻）である。但し、“ｔB1＝ｔB”であっても良い。時刻ｔA2及びｔA間の間隔ΔA並びに時刻ｔB及びｔB1間の間隔ΔBは、予め定められた所定値を有していても良いし、入力指示に従って設定されても良い。間隔ΔA及びΔBの内の少なくとも一方は、ゼロになりうる。
【００６６】
第３作成基準を用いる場合、作成部３１は、対象番組ＰＧ１〜ＰＧ３におけるＣＭ区間の個数Ｑと、編集時間ＬDGとに基づき、各ＣＭ前区間の長さ（即ちＬ391）及び各ＣＭ後区間の長さ（即ちＬ392）を設定することができる。最も単純には例えば、優先映像としてのＣＭ前区間及びＣＭ後区間の映像のみにてダイジェスト映像を形成する場合、Ｌ391＝Ｌ392＝“ＬDG／（Ｑ×２）”としても良い。但し、優先映像をダイジェスト映像に含めつつ、非優先映像の一部をダイジェスト映像に含めるようにしても良い。図８の例では、各対象番組の冒頭部分の区間３４１、３４６及び３５３の映像３６１、３６６及び３７３がダイジェスト映像ＤＧ２に含められている。このため、例えば、区間３４１、３４６及び３５３の長さの合計を編集時間ＬDGから差し引き、その残り時間を（Ｑ×２）で割って得た商を、長さＬ391及びＬ392に設定しても良い。
【００６７】
作成部３１は、ジャンル判定部３３の判定結果を参照し、ｍ個の対象番組の中にジャンルが音楽である１以上の音楽番組が含まれる場合に、当該１以上の音楽番組に対して第３作成基準を適用すると良い。音楽番組においては、コマーシャル区間の前後に、楽曲の後半部分、前半部分（例えば、曲の歌い終わり、歌い始め）が放送されている可能性が高い。楽曲の後半部分又は前半部分を見ることで、ユーザは、どのような楽曲が放送されていたのかを短時間で把握することができる。また、歌手が歌う曲においては、曲の歌い終わり又は歌い始めに、ユーザが視聴を望むと推定される、曲の盛り上がり部分が存在することが多い。故に、第３作成基準を音楽番組に適用することで、ダイジェスト映像に対するユーザの満足度が増すと期待される。
【００６８】
――第４作成基準――
第４作成基準を説明する。図１０は、想定αの下、第４作成基準を用いたダイジェスト映像の作成方法及び内容の例を示している。図１０の例では、対象番組ＰＧ１にＤＧ抽出区間４１１〜４１４が設定され、対象番組ＰＧ２にＤＧ抽出区間４１５〜４１９が設定され、対象番組ＰＧ３にＤＧ抽出区間４２０及び４２１が設定されている。そして、対象番組ＰＧ１に基づくＤＧ抽出区間４１１〜４１４内の映像４３１〜４３４と、対象番組ＰＧ２に基づくＤＧ抽出区間４１５〜４１９内の映像４３５〜４３９と、対象番組ＰＧ３に基づくＤＧ抽出区間４２０及び４２１内の映像４４０及び４４１とが、ＤＧ抽出映像として結合されてダイジェスト映像ＤＧ３が形成されている。
【００６９】
第４作成基準では、各対象番組において、前部特定区間における映像を優先映像として且つそれ以外の区間における映像を非優先映像として定め、優先映像を非優先映像よりも優先的にダイジェスト映像に含める。具体的には例えば、優先映像をダイジェスト映像に入れることを確保した上で、ダイジェスト映像の時間長が編集時間ＬDG以下に収まる条件下で、非優先映像（前部特定区間以外の区間）に対して基本作成基準Ｆ１〜Ｆ３を適用する。図１１を参照し、或る１つの対象番組４６０に対する前部特定区間４６１を説明する。対象番組４６０の開始時刻はｔCである。
【００７０】
前部特定区間４６１は、時刻ｔCを基準とする時点（時刻）ｔC1から始まり、その後の時点（時刻）ｔC2にて終わる区間である。時刻ｔC1及びｔC2は対象番組４６０の放送時間帯に属する。前部特定区間４６１は、時刻ｔC1及びｔC2間の時間長に相当する、所定の長さＬ461を持つ。ｔC及びｔC1間の間隔ΔCは、予め定められた所定値を有していても良いし、入力指示に従って設定されても良い。間隔ΔCはゼロであっても良い（即ち、時刻ｔC1は時刻ｔCと一致していても良い）。図１０において、区間４１１、４１５及び４２０が、夫々、対象番組ＰＧ１、ＰＧ２及びＰＧ３の前部特定区間に相当する。
【００７１】
第４作成基準を用いる場合、作成部３１は、優先映像の全てをダイジェスト映像に含めつつ、非優先映像の一部をダイジェスト映像に含めると良い。図１０の例では、前部特定区間４１１、４１５及び４２０の夫々の長さを一定値に収めつつ、各対象番組において前部特定区間以外の区間に対し上述の基本作成基準Ｆ１〜Ｆ３を適用している。結果、映像４３１、４３５及び４４０に加えて、映像４３２等もダイジェスト映像ＤＧ３に含められている。図１０において、前部特定区間４１１、４１５及び４２０以外の各ＤＧ抽出区間の長さは一定値（例えば２０秒）でも良い。前部特定区間としての１つのＤＧ抽出区間の長さ（例えば区間４１１の長さ）を、前部特定区間ではない１つのＤＧ抽出区間の長さ（例えば区間４１２の長さ）より長くしても良い。尚、優先映像としての前部特定区間の映像のみにてダイジェスト映像を形成することも可能である。
【００７２】
作成部３１は、ジャンル判定部３３の判定結果を参照し、ｍ個の対象番組の中にジャンルがドラマである１以上のドラマ番組が含まれる場合に、当該１以上のドラマ番組に対して第４作成基準を適用すると良い。ドラマ番組では、番組の冒頭部分に、ストーリーの重要部分が現れることが多いと考えられる。故に、第４作成基準をドラマ番組に適用することで、ストーリーの重要部分がダイジェスト映像に含まれる可能性が高まり、結果、ダイジェスト映像に対するユーザの満足度が増すと期待される。冒頭部分より後においては、どの部分に重要度の高い部分が現れるのかが判別しにくいため、基本作成基準Ｆ１〜Ｆ３を適用すると良い。
【００７３】
また、一連の物語を複数回に分けて放送するドラマ番組では、各回の放送冒頭部分に前回のあらすじを放送した後、主題歌を流し、その後において、新たな内容の中核部分を放送することも多い。これを考慮し、作成部３１は、各対象番組における前部特定区間の開始時刻を設定しても良い。当該設定方法を図１１の対象番組４６０に注目して説明する。作成部３１は、対象番組４６０の放送信号中の音声信号に基づき、音声信号のスペクトル解析等を用いて、音楽に分類される音の成分が含まれている楽音区間を、対象番組４６０の全区間内で時刻ｔCを起点として走査及び探索する。そして、作成部３１は、検出された最初の楽音区間の終了時刻、又は、その終了時刻から所定時間経過後の時刻を時刻ｔC1として良い。
【００７４】
作成部３１は、ジャンル判定部３３の判定結果を参照し、ｍ個の対象番組の中にジャンルがニュースである１以上のニュース番組が含まれる場合に、当該１以上のニュース番組に対して第４作成基準を適用しても良い。ニュース番組では、番組の冒頭部分において、注目度の高いニュース情報（所謂トップニュース等）が放送される可能性が高い。故に、ニュース番組に第４作成基準を用いれば、注目度の高いニュース情報がダイジェスト映像に含まれやすくなると考えられ、結果、ダイジェスト映像に対するユーザの満足度が増すと期待される。
【００７５】
――第５作成基準――
第５作成基準を説明する。図１２は、想定αの下、第５作成基準を用いたダイジェスト映像の作成方法及び内容の例を示している。図１２の例では、対象番組ＰＧ１にＤＧ抽出区間４８１〜４８４が設定され、対象番組ＰＧ２にＤＧ抽出区間４８５〜４８９が設定され、対象番組ＰＧ３にＤＧ抽出区間４９０及び４９１が設定されている。そして、対象番組ＰＧ１に基づくＤＧ抽出区間４８１〜４８４内の映像５０１〜５０４と、対象番組ＰＧ２に基づくＤＧ抽出区間４８５〜４８９内の映像５０５〜５０９と、対象番組ＰＧ３に基づくＤＧ抽出区間４９０及び４９１内の映像５１０及び５１１とが、ＤＧ抽出映像として結合されてダイジェスト映像ＤＧ４が形成されている。
【００７６】
第５作成基準では、各対象番組において、後部特定区間における映像を優先映像として且つそれ以外の区間における映像を非優先映像として定め、優先映像を非優先映像よりも優先的にダイジェスト映像に含める。具体的には例えば、優先映像をダイジェスト映像に入れることを確保した上で、ダイジェスト映像の時間長が編集時間ＬDG以下に収まる条件下で、非優先映像（後部特定区間以外の区間）に対して基本作成基準Ｆ１〜Ｆ３を適用する。図１３を参照し、或る１つの対象番組５３０に対する後部特定区間５３１を説明する。対象番組５３０の終了時刻はｔDである。
【００７７】
後部特定区間５３１は、時刻ｔDを基準とする時点（時刻）ｔD1から始まり、その後の時点（時刻）ｔD2にて終わる区間である。時刻ｔD1及びｔD2は対象番組５３０の放送時間帯に属する。後部特定区間５３１は、時刻ｔD1及びｔD2間の時間長に相当する、所定の長さＬ531を持つ。時刻ｔD2及びｔD間の間隔ΔDは、予め定められた所定値を有していても良いし、入力指示に従って設定されても良い。間隔ΔDはゼロであっても良い（即ち、時刻ｔD2は時刻ｔDと一致していても良い）。図１２において、区間４８４、４８９及び４９１が、夫々、対象番組ＰＧ１、ＰＧ２及びＰＧ３の後部特定区間に相当する。
【００７８】
第５作成基準を用いる場合、作成部３１は、優先映像の全てをダイジェスト映像に含めつつ、非優先映像の一部をダイジェスト映像に含めると良い。図１２の例では、後部特定区間４８４、４８９及び４９１の夫々の長さを一定値に収めつつ、各対象番組において後部特定区間以外の区間に対し上述の基本作成基準Ｆ１〜Ｆ３を適用している。結果、映像５０４、５０９及び５１１に加えて、映像５０１等もダイジェスト映像ＤＧ４に含められている。図１２において、後部特定区間４８４、４８９及び４９１以外の各ＤＧ抽出区間の長さは一定値（例えば２０秒）でも良い。後部特定区間としての１つのＤＧ抽出区間の長さ（例えば区間５０４の長さ）を、後部特定区間ではない１つのＤＧ抽出区間の長さ（例えば区間５０３の長さ）より長くしても良い。尚、優先映像としての後部特定区間の映像のみにてダイジェスト映像を形成することも可能である。
【００７９】
作成部３１は、ジャンル判定部３３の判定結果を参照し、ｍ個の対象番組の中にジャンルがドラマである１以上のドラマ番組が含まれる場合に、当該１以上のドラマ番組に対して第５作成基準を適用しても良い。ドラマ番組では、番組の終わりの部分周辺において、ストーリーの重要部分が現れることも多い。故に、第５作成基準をドラマ番組に適用することで、ストーリーの重要部分がダイジェスト映像に含まれる可能性が高まり、結果、ダイジェスト映像に対するユーザの満足度が増すと期待される。後部特定区間以外においては、どの部分に重要度の高い部分が現れるのかが判別しにくいため、基本作成基準Ｆ１〜Ｆ３を適用すると良い。
【００８０】
矛盾無き限り又は矛盾が発生しないように、第１〜第５作成基準の内、複数の作成基準を組み合わせて使用しても良い。例えば、第４及び第５作成基準を組み合わせても良い。この組み合わせを行った場合、作成部３１は、各対象番組の前部特定区間及び後部特定区間の映像を優先映像として且つそれ以外の区間における映像を非優先映像として定め、優先映像を非優先映像よりも優先的にダイジェスト映像に含める。具体的には例えば、優先映像をダイジェスト映像に入れることを確保した上で、ダイジェスト映像の時間長が編集時間ＬDG以下に収まる条件下で、非優先映像（前部特定区間及び後部特定区間以外の区間）に対して基本作成基準Ｆ１〜Ｆ３を適用する。
【００８１】
――作成動作フローチャート――
次に、図１４を参照して、ダイジェスト映像の作成に関わる動作の手順を説明する。まず、ステップＳ１１において、図１の制御部１６は、ダイジェスト録画設定がオンとなっているか否かをチェックする。ユーザは、番組の録画予約画面又は所定の設定画面上にて、指示受付部１５を通じ、ダイジェスト録画設定のオン／オフを指定することができる。ダイジェスト録画設定がオフである場合、図１４の動作を終了するが、ダイジェスト録画設定がオンである場合、ステップＳ１２への移行が発生する。尚、ダイジェスト録画設定において、ＤＧ編集条件が定められる。
【００８２】
ステップＳ１２において、対象番組の録画、即ち、対象番組のＡＶ信号の記録メディア１４への記録が行われる。続くステップＳ１３において、制御部１６は、対象番組の全録画時間（即ち、録画された対象番組の全時間長）を編集時間ＬDGと比較する。対象番組の全録画時間が編集時間ＬDGより長い場合には、ステップＳ１４にて上述の方法によりダイジェスト映像が作成され、そうでない場合には、ステップＳ１５にてダイジェスト映像が作成される。ステップＳ１５では、録画された対象番組の映像をそのまま繋ぎ合わせることでダイジェスト映像を作成する。従って、ステップＳ１５にて生成されるダイジェスト映像では、対象番組の全区間がＤＧ抽出区間に相当することになる。
【００８３】
ステップＳ１４では、第１〜第５作成基準の何れかを対象番組のジャンルに応じて適宜利用しつつ、ダイジェスト映像を生成する。生成されたダイジェスト映像は記録メディア１４に記録される。対象ジャンルが複数存在する場合、対象ジャンルごとにダイジェスト映像を生成する。例えば、対象ジャンルがニュース及びドラマを含む場合、ジャンルがニュースの対象番組の映像からダイジェスト映像を作成する一方で、それとは別に、ジャンルがドラマの対象番組の映像から他のダイジェスト映像を作成する。ＤＧ編集条件によっては、ジャンルがニュースの対象番組の映像とジャンルがドラマの対象番組の映像が、１つのダイジェスト映像に含まれるようにしても良い。
【００８４】
尚、１以上の番組を録画した後に、ダイジェスト録画設定をオンにすることもできる。この場合、１以上の番組が録画された後、作成部３１は、録画された１以上の番組を、指示受付部１５を通じたユーザの入力指示等に従い、対象番組に設定すると良い。その後、設定した対象番組に対し、ステップＳ１３の分岐処理を通じて、ステップＳ１４又はＳ１５の処理を実行すると良い。
【００８５】
＜＜第２実施形態＞＞
本発明の第２実施形態を説明する。第２実施形態及び後述の第３実施形態は第１実施形態を基礎とする実施形態であり、第２及び第３実施形態において特に述べない事項に関しては、特に記述無き限り且つ矛盾の無い限り、第１実施形態の記載が第２及び第３実施形態にも適用される。矛盾の無い限り、第１〜第３実施形態の内、任意の複数の実施形態を組み合わせても良い。
【００８６】
第１実施形態で述べた、ＣＭ前区間の長さ、ＣＭ後区間の長さ、前部特定区間の長さ及び後部特定区間の長さの内、少なくとも１つの長さを、編集条件設定指示の中で、ユーザが指定できても良い。作成部３１は、その指定に従って、その４つの長さの内の何れか１以上の長さを設定することができる。これにより、ユーザ所望のダイジェスト映像が得られる。
【００８７】
第１実施形態では、ダイジェスト映像を作成するための処理の全てを、対象番組の録画の完了後に行うことを想定しているが、その処理の一部を、対象番組の録画中に行うようにしても良い。これにより、ダイジェスト映像の作成に付随して発生し得る、ユーザの待ち時間を抑制することができる。例えば、第３作成基準を用いる場合、対象番組の録画中にＣＭ区間の検出を並行して行い、その検出結果を記録メディア１４又はメモリ１７に保存しておく。その後、当該検出結果を用いて、任意のタイミングでダイジェスト映像を作成すれば良い。
【００８８】
ダイジェスト映像では、任意の整数ｉに関し、第ｉ配置順位が与えられた対象番組内のＤＧ抽出映像が、第（ｉ＋１）配置順位が与えられた対象番組内のＤＧ抽出映像よりも、ダイジェスト映像の先頭の近くに配置される。図６等では、対象番組ＰＧ１、ＰＧ２、ＰＧ３に対して、夫々、第１、第２、第３配置順位が与えられていることを想定しているが、ダイジェスト映像内におけるＤＧ抽出映像の並び方を様々に変更することが可能である。その並び方を、編集条件設定指示の中で、ユーザが指定できても良い。
【００８９】
或いは、ダイジェスト映像の再生順序（即ち、ダイジェスト映像内における複数のＤＧ抽出映像の再生順序）を学習し、新たにダイジェスト映像を生成する際、その学習内容に基づいて、各対象番組に与える配置順位を決定するようにしても良い。これにより、ダイジェスト映像における映像の並び方を、ユーザの好みに応じたものにすることができる。
【００９０】
例えば、対象番組ＰＧ１、ＰＧ２、ＰＧ３に対し、夫々、第１、第２、第３配置順位を与えて生成した第１ダイジェスト映像が再生された場合を考える。その再生において、ユーザが、指示受付部１５への所定操作（早送り操作等）を用い、まず、対象番組ＰＧ２に基づく映像を再生させ、次に、対象番組ＰＧ１に基づく映像を再生させ、最後に、対象番組ＰＧ３に基づく映像を再生させたとする。この場合、制御部１６は、その再生順序に関する履歴を記録メディア１４又はメモリ１７に保存しておく。その後、第１ダイジェスト映像に対するＤＧ編集条件と同じＤＧ編集条件で第２ダイジェスト映像を作成する際、作成部３１は、再生順序に関する履歴に基づき、対象番組ＰＧ２、ＰＧ１、ＰＧ３に対して、夫々、第１、第２、第３配置順位が与えて第２ダイジェスト映像を生成しても良い。これは最も単純な例であるが、複数回分の再生順序を統計的に処理して、新たにダイジェスト映像を作成する際の配置順位付けを行っても良い。
【００９１】
また例えば、ジャンルがニュース又は音楽である番組を混合して１つのダイジェスト映像を作成すべきことを、ユーザが、編集条件設定指示にて指定した場合を考える。この場合において、対象番組ＰＧ１、ＰＧ２、ＰＧ３のジャンルが、夫々、ニュース、音楽、ニュースであったとし、対象番組ＰＧ１、ＰＧ２、ＰＧ３に対し、夫々、第１、第２、第３配置順位を与えて生成した第１ダイジェスト映像が再生されたことを考える。そして、その再生において、ユーザが、指示受付部１５への所定操作（早送り操作等）を用い、まず、対象番組ＰＧ２に基づく映像（即ち音楽映像）を再生させ、次に、対象番組ＰＧ１に基づく映像（即ちニュース映像）を再生させ、最後に、対象番組ＰＧ３に基づく映像（即ちニュース映像）を再生させたとする。この場合、制御部１６は、音楽とニュースが混在したダイジェスト映像では、音楽映像がニュース映像よりも先に再生される傾向があることを学習できる。その傾向に鑑み、ジャンルがニュース又は音楽である番組を混合した１つのダイジェスト映像を新たに作成する際、作成部３１は、音楽をジャンルとする対象番組に対し、ニュースをジャンルとする対象番組よりも、値の小さな配置順位を与えてよい。上述したように、複数回分の再生順序を統計的に処理して、新たにダイジェスト映像を作成する際の配置順位付けを行っても良い。
【００９２】
ダイジェスト映像の再生順序の学習は、ダイジェスト映像の再生状況の学習の一種である。ダイジェスト映像の再生状況の学習結果を、今後、新たに作成するダイジェスト映像の作成方法に反映させる方法は、上述したものに限定されない。例えば、ダイジェスト映像の再生時において、ユーザが、コマーシャル明け直後の映像を頻繁に早送りするという傾向があった場合には、その傾向に鑑み、次回以降に作成するダイジェスト映像にコマーシャル明け直後の映像が入らないようにしても良い。
【００９３】
編集条件設定指示において、ダイジェスト映像の内容に関わる多様な設定を行えるようにしておくと良い。例えば、対象番組１時間当たりの編集時間ＬDGを設定できるようにしても良い。この場合、全ての対象番組の時間長の合計に依存してダイジェスト映像の時間長が変動するため、編集条件設定指示の中で、ダイジェスト映像の時間長に上限を定められるようにしておくと良い。また、編集条件設定指示において、どのような映像を優先映像にすべきか否かをユーザが指定できても良い。上述したように、優先映像は非優先映像よりも優先的にダイジェスト映像に含められる。例えば、音楽番組において、歌手が歌う前に歌手が会話（曲前トーク）を行う場合も多く、ユーザが、その会話の視聴を望む場合、その会話の映像を優先映像に含めるべきことを編集条件設定指示の中で指定できても良い。この指定を受けた作成部３１は、例えば、対象番組の放送信号中の音声信号に基づき、音声信号のスペクトル解析等を用いて楽音区間を検出し、検出楽音区間と、その検出楽音区間の直前のＣＭ区間との間の区間を、ＤＧ抽出区間に含めれば良い。
【００９４】
＜＜第３実施形態＞＞
本発明の第３実施形態を説明する。第３実施形態では、ダイジェスト映像の再生方法を説明する。第３実施形態におけるダイジェスト映像は、第１又は第２実施形態の方法にて作成された任意のダイジェスト映像であることを想定するが、それ以外のダイジェスト映像でも良い。
【００９５】
第３実施形態では、図２の報知部３４が有効に機能する。上述したように、ダイジェスト映像は、ｍ個の対象番組内に設定された複数のＤＧ抽出区間内の映像を結合することで作成される。報知部３４は、第１ＤＧ抽出区間中のダイジェスト映像を再生しているとき、切り替わり時間情報を、録画再生装置１の外部に対して（ユーザに対して）報知する。切り替わり時間情報は、再生映像が第２ＤＧ抽出区間中のダイジェスト映像に切り替わるまでの残り時間に応じた情報である。第１及び第２ＤＧ抽出区間は、ｍ個の対象番組内に設定された複数のＤＧ抽出区間に含まれ、第２ＤＧ抽出区間は、ダイジェスト映像上で第１ＤＧ抽出区間の次に存在するＤＧ抽出区間である。切り替わり時間情報の報知は、映像による報知若しくは音声による報知、又は、それらの組み合わせである。
【００９６】
以下では、説明の具体化のため、再生されるべきダイジェスト映像が図７のダイジェスト映像ＤＧ１であると考えて、再生動作を説明する。ダイジェスト映像ＤＧ１では、ＤＧ抽出区間３１１〜３１９内のＤＧ抽出映像である映像３２１〜３２９が、時間の進行方向に沿って、この順番で結合されている。従って、ダイジェスト映像ＤＧ１の再生が指示されたとき、映像３２１〜３２９が、この順番で再生される。映像３２１〜３２８の夫々は、第１ＤＧ抽出区間中のダイジェスト映像になりうる。映像３２１が、第１ＤＧ抽出区間中のダイジェスト映像であると考えた場合、第２ＤＧ抽出区間中のダイジェスト映像は映像３２２である。同様に、映像３２２が、第１ＤＧ抽出区間中のダイジェスト映像であると考えた場合、第２ＤＧ抽出区間中のダイジェスト映像は映像３２３である。
【００９７】
図１５は、ダイジェスト映像ＤＧ１の再生中における再生映像の変化の様子を示している。再生映像は、表示装置２に表示される映像である。再生処理部３２の機能により、ダイジェスト映像ＤＧ１中の映像３２１が再生されているとき、報知部３４は、再生映像が映像３２１から映像３２２に切り替わるまでの残り時間を検出し、その残り時間に応じた切り替わり時間情報を表示装置２に表示させる。ダイジェスト映像ＤＧ１の構造を規定する記録メディア１４内の保持データから、残り時間の検出を容易に実現できる。図１５の例では、切り替わり時間情報としてのカウントダウン映像６１１、６１２が、再生映像に重畳して表示されている。尚、カウントダウン映像の表示は、残り時間が所定時間（例えば１０秒）以下になったときにのみ行えば良い。再生映像が映像３２１から映像３２２に切り替わると、カウントダウン映像の表示は停止される。但し、その後、再生映像が映像３２２から映像３２３に切り替わるまでの残り時間が所定時間以下となると、再び、カウントダウン映像が表示される。尚、ダイジェスト映像の再生中、カウントダウン映像を常に表示するようにしても良い。
【００９８】
ダイジェスト映像の再生時においては、複数のＤＧ抽出映像間の切り替わり時点にて、突如、再生映像が不連続に切り替わる。この切り替わりは、ダイジェスト映像の特性上、避けがたいものであるが、何時、映像が切り替わるのかが分からない状況はユーザにストレス等を与えうる。上述の如く、切り替わり時間情報を報知することで、ユーザは映像の切り替わりに対する心構えを持つことができるため、上記ストレス等の軽減が期待され、ダイジェスト映像を視聴しやすくなる。従って、ダイジェスト映像再生に関するユーザの満足度向上が期待される。
【００９９】
また、報知部３４は、第１ＤＧ抽出区間中のダイジェスト映像を再生しているとき、第２ＤＧ抽出区間中のダイジェスト映像の再生にかかる時間に応じた次映像時間情報を、録画再生装置１の外部に対して（ユーザに対して）報知しても良い。次映像時間情報の報知は、映像による報知若しくは音声による報知、又は、それらの組み合わせである。次映像時間情報の報知を、切り替わり時間情報の報知と共に行っても良い。
【０１００】
図１６の例では、それらの情報が共に報知されている。即ち、再生処理部３２の機能により、ダイジェスト映像ＤＧ１中の映像３２１が再生されているとき、報知部３４は、カウントダウン映像６１１又は６１２と共に、次映像時間情報としての映像（次場面再生必要時間映像）６２０も表示装置２に表示させる。図１６の例では、カウントダウン映像６１１又は６１２と映像６２０が再生映像に重畳して表示されている。映像６２０には、第２ＤＧ抽出区間中のダイジェスト映像の再生にかかる時間、即ち、映像３２２の時間長が示されている。ダイジェスト映像ＤＧ１の構造を規定する記録メディア１４内の保持データから、映像３２２の時間長が特定される。尚、映像６２０の表示有無は、例えば、カウントダウン映像の表示有無に連動して行えば良い。但し、映像６２０は、ＤＧ抽出映像３２１の再生期間中、常時表示されるものであっても良い。また、カウントダウン映像の表示を割愛し、映像６２０だけ表示することも可能である。
【０１０１】
ダイジェスト映像は、対象番組の全体を視聴するほどの時間的余裕が無いときに利用されることが多く、故に、ダイジェスト映像を細切れの空き時間を利用して視聴するユーザも多い。例えば、朝の出勤前の空き時間に、ダイジェスト映像ＤＧ１の一部を視聴した後、帰宅後に、残りを視聴するといった利用形態がある。このような利用形態においても、１つのＤＧ抽出映像の再生中（即ち一連の場面の映像再生中）に、ダイジェスト映像の再生を停止することは、通常、望まれない。次映像時間情報を報知するようにすれば、次の場面の映像を視聴するためにかかる時間を事前に知ることができる。このため、ユーザは、自身のスケジュールを考慮して、次の場面の映像の視聴を開始するか否かを当該開始前に決定することができ、利便性が高まる。例えば、あと３分しか空き時間が無いときに、図１６に示す如く、映像６２０が“５分”を示していたならば、ユーザは、次場面（即ち映像３２２）の視聴を取りやめるという判断を行うことができる。
【０１０２】
――再生動作フローチャート――
次に、図１７を参照して、ダイジェスト映像の再生に関わる動作の手順を説明する。図１４の動作の完了後、任意のタイミングで図１７の動作を行うことができる。ダイジェスト映像ＤＧ１の再生を求める入力指示が指示受付部１５に与えられると、ステップＳ２１において、図２の再生処理部３２は、ダイジェスト映像ＤＧ１の再生を開始する。ダイジェスト映像ＤＧ１の再生時においては、上述の切り替わり時間情報及び次映像時間情報の報知も行う。ダイジェスト映像ＤＧ１の再生開始後、ステップＳ２２にて、ダイジェスト映像ＤＧ１の再生が終了したか否かがチェックされる。ダイジェスト映像ＤＧ１の再生が終了すると、図１７の再生動作を終了するが、当該再生が終了していない場合には、ステップＳ２３に移行する。
【０１０３】
ステップＳ２３において、再生処理部３２は、所定の詳細再生指示が指示受付部１５に与えられているか否か（例えば、指示受付部１５内の詳細ボタンが押されているか否か）をチェックする。詳細再生指示が与えられている場合には、ステップＳ２４に移行し、詳細再生指示が与えられていない場合には、ステップＳ２２に戻る。ステップＳ２４において、再生処理部３２は、詳細再生指示の入力タイミングにおいて再生されていた映像（以下、遷移元映像という）に対応する対象番組（以下、遷移先番組という）及び時点（以下、遷移先時点という）を特定する。図１８（ａ）及び（ｂ）に示す如く、遷移元映像が、ＤＧ抽出映像３２１内の映像である場合、ＤＧ抽出映像３２１を含む対象番組ＰＧ１が遷移先番組であり、対象番組ＰＧ１において遷移元映像が存在する時点が遷移先時点である。同様に、遷移元映像が、ＤＧ抽出映像３２４内の映像である場合（図７参照）、ＤＧ抽出映像３２４を含む対象番組ＰＧ２が遷移先番組であり、対象番組ＰＧ２において遷移元映像が存在する時点が遷移先時点である。
【０１０４】
ステップＳ２４において、再生処理部３２は、遷移先番組の映像を、表示装置２を用いて遷移先時点から再生する。遷移先番組のＡＶ信号は、図１４の動作によって記録メディア１４に記録されている。ダイジェスト映像ＤＧ１内の各映像が、何れの対象番組の何れの時点の映像であるのかを特定可能な管理データが、記録メディア１４に保持されており、その管理データを用いてステップＳ２４の再生を実現できる。ステップＳ２４における再生の開始後、ステップＳ２５にて、遷移先番組の映像再生が終了したか否かがチェックされる。遷移先番組の映像再生が終了すると、図１７の再生動作を終了するが、当該再生が終了していない場合には、ステップＳ２６に移行する。尚、遷移先番組の映像再生が終了した時、ステップＳ２７へ移行するようにしても良い。
【０１０５】
ステップＳ２６において、再生処理部３２は、所定の戻り指示が指示受付部１５に与えられているか否か（例えば、指示受付部１５内の戻るボタンが押されているか否か）をチェックする。戻り指示が与えられている場合には、ステップＳ２７に移行し、戻り指示が与えられていない場合には、ステップＳ２５に移行する。ステップＳ２７において、再生処理部３２は、ダイジェスト映像ＤＧ１のＲｅｓｕｍｅ再生を行う。即ち、遷移元映像（図１８（ａ）参照）が再生されていた時点の続きからダイジェスト映像ＤＧ１の再生を再開する。その後、ステップＳ２２に戻る。
【０１０６】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。
【０１０７】
録画再生装置１である対象装置又は録画再生装置１内の任意の部位にて形成される対象装置を、集積回路等のハードウェア、或いは、ハードウェアとソフトウェアの組み合わせによって構成することができる。対象装置にて実現される機能の全部又は一部である任意の特定の機能をプログラムとして記述して、該プログラムを対象装置に搭載可能なフラッシュメモリに保存しておいても良い。そして、該プログラムをプログラム実行装置（例えば、対象装置に搭載可能なマイクロコンピュータ）上で実行することによって、その特定の機能を実現するようにしてもよい。上記プログラムは任意の記録媒体に記憶及び固定されうる。上記プログラムを記憶及び固定する記録媒体は対象装置と異なる機器（サーバ機器等）に搭載又は接続されても良い。
【０１０８】
録画再生装置１は、映像の録画、作成又は再生を実現するための映像処理装置の一種である。或いは、録画再生装置１は、当該映像処理装置を内包していると考えても良い。
【符号の説明】
【０１０９】
１  録画再生装置
２  表示装置
１１  チューナ
１２  映像音声処理部
１６  制御部
３１  ダイジェスト映像作成部
３２  再生処理部
３３  ジャンル判定部
３４  報知部
ＰＧ１〜ＰＧ３  対象番組
【図１】
2015035733.tif 000003
【図２】
2015035733.tif 000004
【図３】
2015035733.tif 000005
【図４】
2015035733.tif 000006
【図５】
2015035733.tif 000007
【図６】
2015035733.tif 000008
【図７】
2015035733.tif 000009
【図８】
2015035733.tif 000010
【図９】
2015035733.tif 000011
【図１０】
2015035733.tif 000012
【図１１】
2015035733.tif 000013
【図１２】
2015035733.tif 000014
【図１３】
2015035733.tif 000015
【図１４】
2015035733.tif 000016
【図１５】
2015035733.tif 000017
【図１６】
2015035733.tif 000018
【図１７】
2015035733.tif 000019
【図１８】
2015035733.tif 000020